(57)【要約】【課題】携帯電話機等を使用（操作）する際にストラップを指にかけて繋ぐことにより安全保持用とお洒落なファッション性を兼ねたフィンガーストラップを提供する。【解決手段】指に嵌めるリング体（１）と携帯機器（Ａ）への取付紐（２）とを結合し、リング体は指輪で構成する。取付紐（２）はチェーンで構成する。【選択図】　　　　　図１
2004081258.tif 000002
【特許請求の範囲】
【請求項１】
指に嵌めるリング体（１）と、携帯機器（Ａ）への取付紐（２）とを一体又は着脱可能に結合してなることを特徴とするフィンガーストラップ。
【請求項２】
指に嵌めるリング体（１）と、携帯機器（Ａ）への取付紐（２）とを結合してなり、前記リング体（１）を指輪で構成してなることを特徴とするフィンガーストラツプ。
【請求項３】
取付紐（２）はチェーンで構成されてなる請求項１又は２記載のフィンガーストラップ。
【発明の詳細な説明】
【０００１】
【発明の属する技術分野】
本発明は、携帯電話機等の携帯機器類を使用（操作）する際に安全保持用としてのフィンガーストラップに関する。
【０００２】
【従来の技術】
携帯電話機を使用（操作）する場合片手で機器本体を持ち、同じ手の親指等で各種ボタンの押動操作をすることが一般的である。従来、このような携帯機器にはハンドストラップのような比較的長尺の紐からなるストラップが付けられていて、持ち歩いたりポケット等に収納する場合に手下げ紐、或いは止め紐等として使用されている。
【０００３】
【発明が解決しようとする課題】
しかし、携帯電話機の本体を手に持って片手操作しようとする場合には機器本体にハンドストラップのような長尺の手下げ紐が付いていると、それが邪魔になって却って操作の妨げになるという問題点を有していた。また、ストラップが付いていない機器本体でも片手操作する場合不安定になり勝ちになるため、操作がし難く而も手が滑ったりして機器本体を落下させる等のおそれがあった。
【０００４】
本発明の目的は、リング体を小指に嵌めることにより機器本体を手に持って片手操作しようとする場合に安定した保持ができるとともに、ボタン類の押動操作がし易くなってスピードアップを図ることができ、操作中に滑って落す等の不具合も解消し、またリング体を指輪のように小指等に嵌めて使用し又持ち歩くこともできるため、お洒落感覚でファッション性にも優れた携帯機器用のフィンガーストラツプを提供することにある。
【０００５】
【課題を解決するための手段】
上記目的を達成するため、本発明に係るフィンガーストラップは指に嵌めるリング体１と、携帯機器Ａへの取付紐２とを一体又は着脱可能に結合してなるものである。
【０００６】
本発明に係るフィンガーストラップは、取付紐２を携帯機器Ａに取付けて、リンク体１を小指に嵌めることで、携帯機器をストラップで連結したまま片手操作を楽に行うことができる。小指に嵌めたリング体１は抜き指し自由であり、位置を調整することで携帯機器を無理のない角度に保持することができる。
【０００７】
また、本発明に係るフィンガーストラップは、指に嵌めるリング体１と、携帯機器Ａへの取付紐２とを結合してなり、前記リング体１を指輪で構成されている。
【０００８】
斯る構成とすることにより、本発明ではリング体が指輪として機能するためファッション性があり、お洒落感覚で携帯機器を楽しく使用できる。
【０００９】
さらに、本発明では、取付紐２はチェーンで構成されている。チェーンを高級感のある高品位のものを使用することで、さらなるファッション性が高められる。
【００１０】
【実施例】
以下添付図面を参照して本発明の好ましい実施例を説明する。
【００１１】
図１乃至図３は、本発明のフィンガーストラップを示したものであり、図１はフィンガーストラップを携帯電話機に取付けた状態、図２中（イ）（ロ）及び図３中（ａ）（ｂ）（ｃ）は夫々異なる態様の各実施例である。
【００１２】
リング体１は、金属又は合成樹脂の成形品、若しくは木、竹等の加工品で、指輪形に一体形成される。このようなリング体１は、図１及び図２（イ）に示すように広巾の指輪として形成し、金属又は成形品にはメッキを施すようにしてもよい。又図２（ロ）に示すように細巾のものであっても、或いは丸線を輪状に曲げたものであってもよい。リング体１には割目を有しない一体形が好ましいが、図３（ｃ）に示すように割リング形であっても差仕えない。このような指輪形のリング体１は、五指の何れか、特に小指に嵌められるように大きさ、形を選定する。
【００１３】
取付紐２は、図１又は図２（イ）、或いは図３（ｃ）に示すように金属のボールチェーンが好ましい。このような取付紐２は金属又は合成樹脂成形品のボールチェーン、その他のチェーン、又は天然又は合成繊維の紐、組紐、皮紐等であってもよい。取付紐２の取付方法は携帯機器Ａの基端部のコーナ取付部Ｂに係挿して、さらにリング体１に連結することにより図１に示す一例のように取付け完了となる。
【００１４】
図２（ロ）又は図３（ａ）（ｂ）に示す取付紐２は、チェーンでない細紐をリング体１に通して輪状に形成したもので、細紐の端部を携帯機器Ａのコーナ取付部Ｂに挿通して端部を引き出し、その引き出された輪状部にリング体１を通すことにより機器本体Ａへの取付けを簡単に行うことができる。又図２（イ）又は図３（ｂ）（ｃ）に示す一例のように取付紐２に着脱式止め具３又は４を設けて止め具により着脱可能に取付けることもできる。
【００１５】
リング体１と取付紐２との結合方法は、図２（イ）（ロ）の他、図３（ａ）（ｂ）のようにリング体１の一部に小さい取付孔１０を設けて、この取付孔１０に取付紐２を係挿する。又図３（ｃ）に示すように取付環５を介して取付紐２をリング体１に結合することもできる。取付紐２の長さは８〜１０センチメートル位のものが適当で、輪状又は２つ折りにしてエンドレスにすると、４〜５センチメートルになる。
【００１６】
対象となる携帯機器としては、携帯電話機の他、リモコン機器やＰＤＡ機器等複数のボタン操作により電話、メール、電信等を行う各種小型携帯機器が対象となる。
【００１７】
図１の携帯電話機Ａについて使用法を説明すると、左手操作の場合は左手の小指又は薬指にリング体１を嵌め、同じ手の掌に機器本体Ａを載せるように把持し、親指が操作ボタン面の上に臨むようにしてその親指又は他方の手の指でボタン操作をする。機器本体Ａは小指又は薬指に嵌めたリング体１と取付紐２により繋がっているので手から滑って落下しても安全である。また、このため落とす心配をしないで安心して操作できるため誤操作を防ぐことができる。さらに、リング体１を指輪のように指に嵌めたまま携帯機器を持ち歩くこともできるので、格好よく、携帯することができる。
【００１８】
【発明の効果】
本発明は上記のように構成されているので、携帯電話機等の携帯機器を、リング体を指輪の如く指に嵌めて保持できるため操作の際には手から滑って落とすような心配がなく、安心して操作することができ、操作がし易く誤操作を防ぐことができる。また手に持って携帯する場合も安全である。
【００１９】
また、本発明はリング体を指輪で構成されているため、お洒落感覚でファッション性にも優れている。また、簡単な構成でコスト的にも安価であるため実用上の効果も大きい。
【図面の簡単な説明】
【図１】本発明の一実施例として携帯電話機に装備した場合の斜視図である。
【図２】本発明のフィンガーストラップの実施例で、（イ）は広巾のリング体にチェーンの取付紐を結合したものの平面図と正面図、（ロ）は細巾のリング体に細紐からなる取付紐を結合したものの平面図と正面図である。
【図３】本発明のフィンガーストラップのその他の実施例で、（ａ）及び（ｂ）はリング体の小孔に細紐の取付紐を結合したもの、（ｃ）は割リング形のリング体に取付環を介してチェーンの取付紐を結合したものである。
【符号の説明】
１　　　リング体
２　　　取付紐
３．４　止め具
５　　　取付環
１０　　取付孔
【図１】
2004081258.tif 000003
【図２】
2004081258.tif 000004
【図３】
2004081258.tif 000005